(57)【特許請求の範囲】
【請求項１】
基端部が蛇口に取り付けられ、一方、自由端部にシャワーヘッドを有するシャワーホース（４）と、このシャワーホースに一体的に配設され、かつ容器内の液状溶剤（ｂ）を、該シャワーホースを通過中の流体（ａ）の流体圧を利用して該流体に混入する液状物供給手段とから成る人体用シャワー装置であって、
前記液状物供給手段を構成する前記容器は、少なくとも、前記シャワーホースと接続する容器本体（１４）及び該容器本体の上端部に取外し可能に設けられた蓋体（１５）を有する外側容器（１１）と、前記容器本体に内設される内側容器とから成り、前記内側容器と前記外側容器の間に、流路（２６）を流れる前記流体（ａ）の一部が入り込むことが可能である間隙部分（２７）が存在し、
前記内側容器は前記液状溶剤を収容する袋状部分（２２）及び該袋状部分に連設する細長状の排出部分（２５）を有し、使用時、前記内側容器の外周壁の全体に前記シャワーホースを通過中の流体の流体圧が加わると、前記液状溶剤は、該内側容器の材質自体の弾性変位の収縮に対応して前記排出部分から排出される人体用シャワー装置。
【請求項２】
請求項１に於いて、外側容器には、内側容器の細長状排出部分を開閉する栓手段が設けられていることを特徴とする人体用シャワー装置。
【請求項３】
請求項１に於いて、外側容器は、その下端部にパイプ状接続部を備え、該パイプ状接続部の下流側にはオリフィスが形成され、内側容器の細長状排出部分は該オリフィスへと延在していることを特徴とする人体用シャワー装置。
【請求項４】
請求項１に於いて、シャワーホースの基端部は、美容室又は浴室内のいずれかの蛇口に連結されていることを特徴とする人体用シャワー装置。
【請求項５】
シャワーホースと接続可能であり、一端部に流体を導入する導入口を有し、一方、他端部に流体の送出口を有すると共に略中央部に流体導口用の開口を有するパイプ状接続部と、パイプ状接続部と接続する容器本体及び該容器本体の上端部に取外し可能に設けられた蓋体とを備えた外側容器と、前記容器本体に内設される内側容器とから成り、前記内側容器と前記外側容器の間に、流路を流れる前記流体の一部が入り込むことが可能である間隙部分が存在し、
前記内側容器は液状溶剤を収容する袋状部分及び該袋状部分に連設する細長状の排出部分とを有し、使用時、前記内側容器の外周壁の全体に前記シャワーホースを通過中の前記流体の流体圧が加わると、前記液状溶剤は、該内側容器の材質自体の弾性変位の収縮に対応して前記排出部分から排出される人体用シャワー装置の液状物供給容器。
【請求項６】
請求項５に於いて、パイプ状接続部自体が外側容器であり、一方可撓性の内側容器は、硬質材料で成形されかつ前記パイプ状接続部自体を貫通する螺合筒を有すると共に、該内側容器の細長状の排出部分は、前記パイプ状接続部自体の流路と同一方向を指向しており、前記螺合筒の突出外端部には、キャップ状の蓋体が螺合することを特徴とする人体用シャワー装置の液状物供給容器。
【発明の詳細な説明】
【技術分野】
【０００１】
本発明は、人体用シャワー装置及び該シャワー装置の液状物供給容器に関する。
【背景技術】
【０００２】
特許文献１の発明の課題は、物流システムとして、特に、食品加工における食品材料の供給搬送のシステムとして、安全に効率良く迅速に供給搬送でき自動供給装置を実現化することである。該発明の課題を達成する手段として、液状物自動供給装置は、（イ）耐圧性であって、上方に流体流入口が設けられた剛性外側容器、（ロ）外側容器本体内に収納され、上端開口を外側容器の上部開口と連通された、可撓性の内側容器、（ハ）外側容器と内側容器との空間に加圧流体を供給する圧力伝達機構、及び（ニ）外側容器の上部開口に連通された内側容器上端開口に取り付けられ、収納内容物を排出する内容物供給機構からなり、そして、（ａ）前記内側容器は、圧力差により収縮自在の可撓性の容器であること、（ｂ）収納内容物は、醤油、ソ−ス、油類、マヨネ−ズ、ケチャップ、クリ−ムなどより選ばれた液状食品であること、（ｃ）圧力伝達機構が、コンプレッサ−と、エアドライヤ−と、タンクとからなる加圧システムであり、圧力伝達媒体が液体であること等が記載されている。
【０００３】
また、特許文献２の発明の課題は、液体肥料を適切に撒布するアクアガンを提供することである。該発明の課題を達成する手段として、アクアガンは、  ガン本体１１のノズル部２２及び中間部材２１で、握持部１２に供給された水道水を導く導水路２３を構成し、前記中間部材２１のボトル取付部３１に、液体肥料３６を収容したペットボトル３４を取り付けると共に、該中間部材２１に狭小部４１を設けて導水路２３の経路を狭め、ベルヌーイ効果によって液体肥料３６を吸い上げて水道水に混合する事項が記載されている（符号は特許文献２のもの）。
【０００４】
さらに、特許文献３には、浴室等においてミストシャワーを浴びることにより発汗を促し、或いは逆に身体を優しく冷却する等して、健康効果や美容効果を得ることができることに着目して、シャワーヘッドのノズル部１１を改良すると共に、ミストヘッド本体１の給湯路４における給湯口２下流に添加剤カートリッジ３３が温水の流通可能に螺着され、該添加剤カートリッジ３３内には香料その他の種々の添加剤３４が温水との接触により溶出可能に収容される旨が記載されている（段落０００２、段落００２０、図１、符号は特許文献３のもの）。
【０００５】
しかしながら、上記特許文献１と２は、室内・室外を問わず、愛玩動物や人間の健康効果、美容効果等を得るために、シャンプー、バスソルト等の液状溶剤を、シャワーホースを通過する流体（特に、水道水）の流体圧を利用して、該流体に前記液状溶剤を自動的に混合して、シャワーヘッドから噴射することを、発明の所期の課題とするものではない。また特許文献３は、人間の健康効果、美容効果等を得ることを目的とし、また給水水圧は、家庭内で使用される水道水であるものの、水道水に混入する溶剤は、シャワーヘッドの取付け基端部内に嵌入される添加剤３４であり、かつ温水との接触により溶出可能な短柱状の固形物であることから、溶剤がシャンプー、バスソルト等の液状溶剤、及びこれに類する流動物を適用し難いものである。それは、液状溶剤や流動物をシャワーヘッドの取付け基端部内に嵌入すると、使用時、給水水圧によって、直ぐにノズル部から噴射されるからである。
【先行技術文献】
【特許文献】
【０００６】
【特許文献１】特開２０００−１２８２５９号公報
【特許文献２】特開２００２−２２４５９１号公報
【特許文献３】特開２００７−２０８５４号公報
【発明の概要】
【発明が解決しようとする課題】
【０００７】
本発明の所期の目的は、室内・室外を問わず、人間の美容効果・リラックス効果・衛生効果等を得るために、シャンプー、バスソルト等の可撓性の内側容器内の液状溶剤を、シャワーホースを通過する流体（特に、水道水）の流体圧を利用して、該流体に前記液状溶剤を自動的に混合して、シャワーヘッドから噴射することである。望ましくは、病院、老人用介護施設、美容院等で、水道水の水圧を利用して、入院患者、老人、顧客等に対して、シャワーを浴びさせる際に、可能な限り、衛生面での清潔的効果、リラックス面での入浴効果或いは美容効果を容易に得ることである。第２の目的は、シャワーホースの接続端部或いはシャワーホースの一部に接続部分を介して容易に取付けることができると共に、シャワーホースやシャワーヘッドの取付け基端部の半径（太さ）により、液状溶剤を収容する容器の大きさの物理的制約を受けないことである。第３の目的は、容器内の液状溶剤が減った場合には、簡単に補充することができることである。本発明の第４の目的は、栓手段により、単なる水道水（水、お湯）と混合液とを簡単に切り替えことができることである。第５の目的は、「ベルヌーイの効果」を利用することにより流体による吸引効果を高め、半流動体液状の溶剤を、可撓性内側容器部材の細長状の排出部分からスムースに出るようにすることである。第６の目的は、美容室又は浴室内のいずれかの蛇口に連結することにより、室内で手軽に利用することができることである。その他の目的は、本発明の基本的構成を利用して、例えば可撓性内側容器部材を、複数の収容室に区画すると共に、各収容室用の切り替え弁を外側容器に設ける「改良発明」を誕生させ、産業の発展に寄与することである。
【課題を解決するための手段】
【０００８】
本発明の人体用シャワー装置は、  基端部が蛇口に取り付けられ、一方、自由端部にシャワーヘッドを有するシャワーホース（４）と、このシャワーホースに一体的に配設され、かつ容器内の液状溶剤（ｂ）を、該シャワーホースを通過中の流体（ａ）の流体圧を利用して該流体に混入する液状物供給手段とから成る人体用シャワー装置であって、前記液状物供給手段を構成する前記容器は、少なくとも、前記シャワーホースと接続する容器本体（１４）及び該容器本体の上端部に取外し可能に設けられた蓋体（１５）を有する外側容器（１１）と、前記容器本体に内設される内側容器とから成り、前記内側容器と前記外側容器の間に、流路（２６）を流れる前記流体（ａ）の一部が入り込むことが可能である間隙部分（２７）が存在し、前記内側容器は前記液状溶剤を収容する袋状部分（２２）及び該袋状部分に連設する細長状の排出部分（２５）を有し、使用時、前記内側容器の外周壁の全体に前記シャワーホースを通過中の流体の流体圧が加わると、前記液状溶剤は、該内側容器の材質自体の弾性変位の収縮に対応して前記排出部分から排出されることを特徴とする。
【０００９】
また、本発明の人体用シャワー装置の液状物供給容器はシャワーホースと接続可能であり、一端部に流体を導入する導入口を有し、一方、他端部に流体の送出口を有すると共に略中央部に流体導口用の開口を有するパイプ状接続部と、パイプ状接続部と接続する容器本体及び該容器本体の上端部に取外し可能に設けられた蓋体とを備えた外側容器と、前記容器本体に内設される内側容器とから成り、前記内側容器と前記外側容器の間に、流路を流れる前記流体の一部が入り込むことが可能である間隙部分が存在し、
前記内側容器は液状溶剤を収容する袋状部分及び該袋状部分に連設する細長状の排出部分とを有し、使用時、前記内側容器の外周壁の全体に前記シャワーホースを通過中の前記流体の流体圧が加わると、前記液状溶剤は、該内側容器の材質自体の弾性変位の収縮に対応して前記排出部分から排出されることを特徴とする。
【００１０】
上記構成に於いて、パイプ状接続部自体が外側容器であり、一方可撓性の内側容器は、硬質材料で成形されかつ前記パイプ状接続部自体を貫通する螺合筒を有すると共に、該内側容器の細長状の排出部分は、前記パイプ状接続部自体の流路と同一方向を指向しており、前記螺合筒の突出外端部には、キャップ状の蓋体が螺合することを特徴とする。
【００１１】
ここで、「液状溶剤」とは、普通一般のシャンプー、ボティーシャンプー、リンス、バスソルト等の化粧品、普通名称で称されている流動物や半流動物のみならず、これに類する香料溶剤、ピタミン溶剤も含まれる。
【発明の効果】
【００１２】
（ａ）請求項１及び請求項５に記載の発明は、室内・室外を問わず、人間、特に介護をするのに大変な重労働がかかる人に対して、衛生効果、リラックス効果、香りの効果等を得るために、シャンプー、バスソルト、香水等の液状溶剤を、シャワーホースを通過する流体（特に、水道水）の流体圧を利用して、該流体に前記液状溶剤を自動的に混合して、シャワーヘッドから噴射することができる。また、外側容器はシャワーホースと接続するパイプ状接続部、或いは左右の接続部分を有するので、シャワーホースの接続端部或いはシャワーホースの一部に接続部分を介して容易に取付けることができると共に、シャワーホースやシャワーヘッドの取付け基端部の半径（太さ）により、液状溶剤を収容する容器の大きさの物理的制約を受けない。さらに、蓋体を外すことにより、液状溶剤を簡単に補充することができる。
（ｂ）請求項２に記載の発明は、外側容器の栓手段を操作することにより、単なる水道水（水、お湯）と混合液とを簡単に切り替えことができる。
（ｃ）請求項３に記載の発明は、ベルヌーイの効果を利用することにより、流体による吸引効果を高めることができる。したがって、液状溶剤が、例えば練状の半流動体であって、かつ可撓性内側容器部材の細長状の排出部分を可能な限り細く（孔径を小さく）しても、内容物がスムースに出るようにすることができる。
（ｄ）請求項４に記載の発明は、業務用、家庭用の如何を問わず、室内で手軽に利用することができる。
（ｅ）請求項６に記載の発明も、（ａ）に記載の効果を有する。
【図面の簡単な説明】
【００１３】
図１乃至図９は本発明の第１実施形態を示す各説明図。図１０乃至図１２は本発明の第２実施形態を示す各説明図。図１３乃至図１５は本発明の第３実施形態を示す各説明図。
【図１】浴室で使用（シャワー室の場合も含む）する実施形態の概略説明図。
【図２】第１実施形態の斜視からの概略説明図。
【図３】概略縦断面説明図。
【図４】図２の４−４線断面図。
【図５】主要部の分解説明図（シャワーホースの一部に接続する一例）。
【図６】液状溶剤を可撓性の内側容器に入れる概略説明図。
【図７】外側容器の栓手段が閉じている状態の説明図。
【図８】外側容器の栓手段が開いている状態の説明図。
【図９】加圧・収縮・排出・混入・噴射の概略説明図。
【図１０】本発明の第２実施形態を示す説明図。
【図１１】図１０の１１−１１線断面図。
【図１２】要部の概略説明図。
【図１３】本発明の第３実施形態を示す説明図（図２と同様の概略説明図）。
【図１４】図３と同様の概略縦断面説明図。
【図１５】図１３の１５−１５線断面図。
【発明を実施するための最良の形態】
【００１４】
以下、図１乃至図９に示す本発明を実施するための最良の形態（第１実施形態）により説明する。
【００１５】
（１）発明の実施の環境
図１は浴室で使用（シャワー室のみでの使用する場合も含む）する実施形態の概略説明図である。図１に於いて、まず、本発明の人体用シャワー装置Ｘは、液状物供給容器Ｙが主要部であり、さらに、圧力媒体としての流体を供給する蛇口３、基端部が該蛇口３に取り付けられ、一方、自由端部にシャワーヘッド５を有するシャワーホース４が、発明の特定要件である。
【００１６】
したがって、人体用シャワー装置Ｘに使用される液状物供給容器Ｙは、図１の浴室１、浴槽２、蛇口３、シャワーヘッド５を有するシャワーホース４、シャワーヘッド５を係止する係止片６、液状物供給容器Ｙ用の吊り下げ片７は、それぞれ発明の本質的事項ではない。付言すると、液状物供給容器Ｙのみを製造、販売、使用等をしても直接侵害を構成する。
【００１７】
（２）液状物供給容器Ｙの接続部８
以下、人体用シャワー装置Ｘについて説明するが、該人体用シャワー装置Ｘの主要部は、前述したように液状物供給容器Ｙなので、該液状物供給容器Ｙの具体的構成を中心にして説明する。図２は斜視からの概略説明図で、図面の下方のパイプ状縦断面の部分は、前後の両端部に接続部分９、１０を有する接続部である。このパイプ状接続部８は、合計３つの開口８ａ、８ｂ、８ｃを有している。
【００１８】
すなわち、８ａは先端接続部分９に形成され導入口で、該導入口８ａには、例えば蛇口３から供給される流体（水道水）ａが入り込む。また８ｂは略中央部に形成された外側容器用装着口で、該外側容器用装着口８ｂには、例えば不番のメネジが形成されている。もちろん、外側容器用装着口８ｂを外方向に短筒状に突設し、該短筒状装着口の外周にオネジを形成しても良い。このように実施形態如何によっては、外側容器１１の小径下端部１１ａの内周壁にメネジを形成し、パイプ状接続部８の短筒状装着口８ｂの外周壁にオネジを形成し、両者８，１１を外嵌合状態に螺着しても良いが、本実施形態では、図２で示すように、内嵌合状態に外側容器１１の小径下端部１１ａをパイプ状接続部８の中央部上側の装着口８ｂに螺着している。なお、パイプ状接続部８に外側容器１１を螺着する場合には、シール構造を加味するのが望ましい。
【００１９】
さらに、８ｃは後端接続部１０に形成され送出口で、該送出口８ｃからは、外側容器１１に内設された内側容器２１の液状溶剤ｂが混入した混合液ｃをシャワーヘッド側に圧送する。
【００２０】
本実施形態では、先端接続部９の導入口８ａと後端接続部１０の送出口８ｃは、望ましくは同一線上（同じ方向）に位置している。これに対して、中央部上側の装着口８ｂは、前記導入口８ａ及び送出口８ｃに直交している。なお、パイプ状接続部８は、硬質の合成樹脂材で成形されている。
【００２１】
（３）液状物供給容器Ｙの外側容器１１
図３は概略縦断面説明図である。図２及び図３から明らかなように、本実施形態の外側容器１１は、上下の端部１１ｂ、１１ａがそれぞれ開口する容器本体１４と、該容器本体の下端開口部（下方の螺合部分）１１ａに接続すると共に、両端部に接続部分（左右の螺合部分）９、１０を有するパイプ状接続部８と、前記容器本体１４の首状上端開口部（上方の螺合部分）１１ｂに螺着するキャップ状の蓋体１５とから成る。
【００２２】
前記容器本体１４とパイプ状接続部８は別部材ではなく、一体成形することもできるが、製作上、部品交換上等の便宜性を考慮して、本実施形態のように別部材で構成し、一体的に結合するのが望ましい。また、蓋体１５を容器本体１４の上壁の中央部に螺着自在に設ける場合には、本実施形態のように任意形状の係合部分１６を突出形成するのが望ましい。さらに、本実施形態では、外側容器１１の下端開口部（下方の螺合部分）１１ａ寄りの部位１７には、後述の内側容器２１の細長状排出部分を開閉する栓手段３１が設けられている。
【００２３】
ところで、外側容器１１の外観形態は特に問わないが、例えば普通一般に見受けられるシャンプー類の容器、化粧容器、酒類の容器などの形状をしている。またその材質は、硬質又は軟質如何を問わないが、望ましくは、硬質の合成樹脂材で成形されたものが使用されている。
【００２４】
（４）液状物供給容器Ｙの内側容器２１
内側容器２１は、特許文献１に記載されているような軟質のプラスチック袋、軟質ゴム製の袋、これらに類する可撓性素材の袋が使用されている。図４は図２の４−４線断面図である。また図５は、主要部の分解説明図であるが、図面の上方には、例えば内側容器２１を手で絞って小さくした状態で外側容器１１に入れることができる旨を示している。このように、内側容器２１は材質自体の弾性変位する可撓性部材で出来ている。
【００２５】
ここで、図３又は図５を参照にして内側容器２１の構造を説明すると、２２は液状溶剤ｂを収納する袋状部分、２３は該袋状部分に上方方向に連設する首状嵌合部分、２４は該首状嵌合部分の縁部に周設されたフランジ部分、一方、２５は前記袋状部分に下方方向に連設する細長状の排出部分（管状部分）である。
【００２６】
しかして、内側容器２１の袋状部分２２の外周壁２２ａと容器本体１４の胴体部分（大径部分）の内周壁１４ａの前記全体の間隙部分２７には該内側容器２１が内設されている。そして、前記間隙部分は外側容器１１の下端開口部１１ａを介してパイプ状接続部８の流路２６と連通する。そして、前記間隙部分２７には、前記流路２６を流れる流体ａの一部が入り込むことが可能である。またフランジ部分２４は、容器本体１４の首状上端開口部１１ｂの上端面と蓋体１５の内壁面との間にゴム製パッキン２８を介して挟持されている。さらに、注射針状或いは細長状の排出部分２５は、栓手段３１を構成するＴ字型案内部材３２の垂直案内筒３２ｂを貫通し、或いは実施態様によっては該垂直案内筒３２ｂに連結されている。本実施形態では、細長状の排出部分２５は、前記垂直案内筒３２ｂを貫通して前記流路２６へと垂れ下がっている。
【００２７】
（５）内側容器２１への内容物の充填
図６は液状溶剤ａを可撓性の内側容器２１に入れる概略説明図である。内側容器２１に液状溶剤ｂを入れる場合には、例えば液状溶剤ｂを収納した把手付容器Ｐを用いる。把手付容器Ｐ内の液状溶剤ｂを内側容器２１に移し替えた後は、蓋体１５を外側容器１１の首状上端開口部（上方の螺合部分）１１ｂに螺着する。
【００２８】
（６）栓手段３１
図７は外側容器１１の栓手段３１が閉じている状態の説明図である。これに対して、図８は外側容器１１の栓手段３１が開いている状態の説明図である。これらの図を参照にして栓手段３１の一例を説明する。栓手段３１の操作部は、摘み回転式、摘みスライド式等を任意に採用することができるが、本実施形態では、摘み回転式を採用している。しかして、栓手段３１は、断面Ｔ字型案内部材３２と、該断面Ｔ字型案内部材の水平案内筒３２ａの外端部に螺着するキャップ型締付け部材３３と、該キャップ型締付け部材を水平方向に貫通すると共に、内端部側に前記水平案内筒３２ａの内端部に螺合する押圧螺杆３４ａを有し、かつ外端部側に操作摘み３４ｂを有する操作部材３４とから成り、前記操作摘み３４を左右方向に回すと、前記押圧螺杆３４ａが断面Ｔ字型案内部材３２の垂直案内筒３２ｂを貫通する細長状の排出部分２５に対して進退動する。なお、符号３５はパッキンである。
【００２９】
（７）作用
図９は流体ａの流体圧が内側容器２１に加わる点、内側容器２１が材質自体の弾性変位により収縮する点、内側容器２１が収縮するのに対応して、その細長状の排出部分２５からパイプ状接続部８の流路２６内に液状溶剤ｂが排出される点、混合液ｃがパイプ状接続部８の後端接続部１０側に流れる点、そして、シャワーヘッド５のノズル部分５ａから混合液ｃが噴射される点（加圧・収縮・排出・混入・噴射）を示した概略説明図である。
【００３０】
したがって、本発明の人体用シャワー装置Ｘは、基端部が蛇口３に取り付けられ、一方、自由端部にシャワーヘッド５を有するシャワーホース４と、このシャワーホースに一体的に配設され、かつ容器内の液状溶剤を、通過中の流体の流体圧を利用して該流体に混入する液状物供給手段とから成る人体用シャワー装置であって、前記液状物供給手段Ｙの前記容器は、少なくとも、前記シャワーホース４と接続するパイプ状接続部８を有する外側容器１１と、この外側容器に内設されると共に、前記液状溶剤ａを収容する袋状部分２２に連設する細長状の排出部分２５が前記パイプ状接続部内の流路２６と交差する方向か、又は同一方向（第２の実施形態）かのいずれかを指向する可撓性の内側容器２１とから成り、使用時、前記内側容器２１に前記流体圧が加わると、前記液状溶剤ｂは、該内側容器２１の材質自体の弾性変位の収縮に対応して前記排出部分２５から排出される。
【実施例】
【００３１】
この欄では、図１０乃至図１２に示す第２実施形態と、を示す各説明図。図１３乃至図１５に示す第３実施形態を説明する。なお、これらの実施形態を説明するにあたって、第１実施形態と同一の部分には、同一又は同様の符号を付して重複する説明を割愛する。
【００３２】
まず、第２実施形態に於いて、第１実施形態と主に異なる点は、パイプ状接続部８Ａの下流側には、流路２６が狭くなるオリフィス３６が形成され、内側容器２１の細長状排出部分２５Ａは該オリフィスへ３６と延在していることである。このように構成すると、ベルヌーイの効果を利用することができるので、流体による吸引効果を高めることができる。したがって、液状溶剤が、例えば練状の半流動体であって、かつ可撓性内側容器部材の細長状の排出部分を可能な限り細く（孔径を小さく）しても、内容物がスムースに出るようにすることができる。
【００３３】
次に、第３実施形態に於いて、第１実施形態と主に異なる点は、パイプ状接続部自体が外側容器１１Ａであり、一方、可撓性の内側容器２１Ａは、硬質材料で成形されかつ前記パイプ状接続部自体（外側容器）１１Ａを貫通する螺合筒４０を有すると共に、該内側容器２１Ａの細長状の排出部分２５は該パイプ状接続部自体の流路２６と同一方向を指向しており、前記螺合筒４０の突出外端部には、キャップ状の蓋体１５Ａが螺合することである。そして、この第３実施形態も、適宜箇所に第１実施形態と同様の栓手段３１Ａ並びに第２実施形態と同様のオリフィス３６Ａをそれぞれ有している。
【００３４】
なお、本実施形態に於いて、袋状部分に連設する細長状の排出部分２５、２５Ａは、先細り状や注射針状に形成しても良い。また、本発明の基本的構成を利用して、例えば可撓性内側容器部材を、複数の収容室に区画すると共に、各収容室用の切り替え弁を外側容器に設けるなどして、いわゆる「改良発明」を創作することができる。
【産業上の利用可能性】
【００３５】
本発明は、主に病院、老人用介護施設、美容院等で、水道水の水圧を利用して、入院患者、老人、顧客等に対して、シャワーを浴びさせる際に利用される。
【符号の説明】
【００３６】
Ｘ…人体用シャワー装置、Ｙ…液状物供給容器、ａ…流体（水道水）、ｂ…液状溶剤、ｃ…混合液、１…浴室（シャワー室）、３…蛇口、４…シャワーホース、５…シャワーヘッド、８、８Ａ…接続部、９…先端接続部分、１０…後端接続部、１１、１１Ａ…外側容器、１４…容器本体、１５、１５Ａ…蓋体、２１、２１Ａ…内側容器、２２…袋状部分、２３…首状嵌合部分、２４…フランジ部分、２５、２５Ａ…排出部分、２６…流路、２７…間隙部分、２８、３５…パッキン、３１、３１Ａ…栓手段、３６、３６Ａ…オリフィス、４０…螺合筒。
【図１】
0005944109.tif 000002
【図２】
0005944109.tif 000003
【図３】
0005944109.tif 000004
【図４】
0005944109.tif 000005
【図５】
0005944109.tif 000006
【図６】
0005944109.tif 000007
【図７】
0005944109.tif 000008
【図８】
0005944109.tif 000009
【図９】
0005944109.tif 000010
【図１０】
0005944109.tif 000011
【図１１】
0005944109.tif 000012
【図１２】
0005944109.tif 000013
【図１３】
0005944109.tif 000014
【図１４】
0005944109.tif 000015
【図１５】
0005944109.tif 000016